(57)【特許請求の範囲】
【請求項１】
増幅器と、２つ以上のトランスデューサとを含むオーディオシステムにおいて接続するためクロスオーバーアセンブリであって、
増幅信号を入力する入力ポートと、前記入力ポートから入力した増幅信号をツィータに出力するための信号にフィルタリングするツィータフィルタと、前記ツィータフィルタによりフィルタリングされた信号を出力する出力ポートとをツィータフィルタハウジングに備えるツィータフィルタアセンブリと、
増幅信号を入力する入力ポートと、前記入力ポートから入力した増幅信号をウーファに出力するための信号にフィルタリングするウーファフィルタと、前記ウーファフィルタによりフィルタリングされた信号を出力する出力ポートとをウーファフィルタハウジングに備えるウーファフィルタアセンブリとを備え、
前記ツィータフィルタハウジング及びウーファフィルタハウジングは、それぞれ一方側に傾斜縁部を有する台形突出部を形成するオス機械コネクタを備えると共に、当該一方側の反対側に前記傾斜縁部と相補形である傾斜部分を有する台形くぼみ部を形成するメス機械コネクタを備え、
前記オス機械コネクタは、他のフィルタハウジングに接続するためのオススナップ嵌合コネクタを前記傾斜縁部に備えると共に、側面にスロットを備え、
前記メス機械コネクタは、他のフィルタハウジングに接続するためのメススナップ嵌合コネクタを前記傾斜部分に備えると共に、側面に前記スロットに嵌合するタブを備え、
前記ツィータフィルタハウジング及びウーファフィルタハウジングは、前記オス機械コネクタとメス機械コネクタを相互に係合することによりドッキング可能であり、前記オス機械コネクタからメス機械コネクタを離脱させることによって分離可能であることを特徴とするクロスオーバーアセンブリ。
【請求項２】
前記ツィータフィルタアセンブリ及びウーファフィルタアセンブリは、前記入力ポートから入力した増幅信号がフィルタリングされていない増幅信号を出力するフィードスルーポートを備えることを特徴とする請求項１に記載のクロスオーバーアセンブリ。
【請求項３】
増幅器と、２つ以上のトランスデューサとを含むオーディオシステムにおいて接続するためフィルタアセンブリであって、
増幅信号を入力する入力ポートと、前記入力ポートから入力した増幅信号をフィルタリングするフィルタと、前記フィルタによりフィルタリングされた信号を出力する出力ポートとをハウジングに備えるフィルタアセンブリとを備え、
前記ハウジングは、一方側に傾斜縁部を有する台形突出部を形成するオス機械コネクタを備えると共に、当該一方側の反対側に前記傾斜縁部と相補形である傾斜部分を有する台形くぼみ部を形成するメス機械コネクタを備え、
前記オス機械コネクタは、他のフィルタハウジングに接続するためのオススナップ嵌合コネクタを前記傾斜縁部に備えると共に、側面にスロットを備え、
前記メス機械コネクタは、他のフィルタハウジングに接続するためのメススナップ嵌合コネクタを前記傾斜部分に備えると共に、側面に前記スロットに嵌合するタブを備え、
前記フィルタアセンブリは、前記ハウジングを同形状のハウジングを備える別のフィルタアセンブリと相互に係合することによりドッキング可能であり、前記フィルタアセンブリから前記別のフィルタアセンブリを離脱させることによって分離可能であることを特徴とするフィルタアセンブリ。
【請求項４】
前記フィルタアセンブリは、前記入力ポートから入力した増幅信号がフィルタリングされていない増幅信号を出力するフィードスルーポートを備えることを特徴とする請求項３に記載のフィルタアセンブリ。
【発明の詳細な説明】
【技術分野】
【０００１】
本発明は、オーディオスピーカーシステムに関し、さらに詳しく言えば、分離およびドッキングが可能なフィルタアセンブリを有するオーディオスピーカークロスオーバーアセンブリに関する。
【背景技術】
【０００２】
従来のオーディオスピーカーには、ツィータとして知られる高周波トランスデューサと、ウーファとして知られる低周波トランスデューサとがある。典型的に、ツィータおよびウーファを駆動する信号は、増幅器出力信号などの単一の信号から生じる。ツィータドライバ信号およびウーファドライバ信号は、クロスオーバーとして知られる電子構成部品を用いて増幅器出力信号から生じる。従来のスピーカーシステムにおいて、クロスオーバーは、高域フィルタ、いわゆる、ツィータドライバ信号を供給するように増幅器出力信号をフィルタリングするツィータフィルタと、低域フィルタ、いわゆるウーファドライバ信号を供給するように増幅器出力信号をフィルタリングするウーファフィルタとを含む。
【０００３】
典型的なホームスピーカーにおいて、クロスオーバーは、ツィータおよびウーファを備えたスピーカキャビネットまたはエンクロージャなどのハウジングに取り付けられる。他の応用において、空間的制約により、単一の比較的大きなハウジングは望ましくないものになる。したがって、クロスオーバーは、ツィータおよびウーファから分離したハウジングに設置されてもよい。例えば、車両の応用において、クロスオーバーとツィータおよび／またはウーファとの間の空間的分離は、数フィートであってもよい。
【０００４】
クロスオーバーをツィータおよびウーファから空間的に分離する応用において、クロスオーバーは、フィルタ電子機器に保護を与え、車両の構成部品へのクロスオーバーの取り付けが可能なハウジングを利用している。従来のクロスオーバーの物理的構成は、単一のハウジングに取り付けられたツィータフィルタおよびウーファフィルタのフィルタ電子機器を含む。車両の応用において、クロスオーバー、ツィータ、およびウーファフィルタの各々は、例えば、特定の車両モデルの機械的および電気的構成部品のデザインおよび位置によって決定される適切な位置に取り付け可能である。
【０００５】
図１は、増幅器１１と、ツィータフィルタ２２およびウーファフィルタ２４を有するクロスオーバー１２と、ツィータ１３と、ウーファ１４とを含む従来技術のスピーカー１０の一例の略図的ブロック図である。クロスオーバー１２は、増幅器１１から音声信号を受信するための入力ポート２６と、ツィータドライバ信号をツィータ１３へ出力するツィータ出力ポート２７と、ウーファドライバ信号をウーファ１４へ供給するウーファ出力ポート２８とを有する。スピーカー１０が、スピーカーシステムの１つのブランチに対応することを理解されたい。典型的に、スピーカーシステムが、２つ以上のブランチ、例えば、車両の前方および後方の両方に左右のブランチを含む。
【０００６】
従来技術のスピーカーにより、一般的に、満足な性能が得られる。しかしながら、複数の異なる車両や空間的制約がある他の応用において１つまたは複数の構成を利用可能なスピーカーを提供することが望まれる。したがって、改良されたクロスオーバーの構成が必要とされている。
【０００７】
発明の概要
本発明の第１の態様によれば、増幅器と、２つ以上のトランスデューサとを含むオーディオシステムにおいて接続するためのクロスオーバーアセンブリが提供される。クロスオーバーアセンブリは、第１のハウジングに取り付けられた第１のフィルタを含む第１のフィルタアセンブリと、第２のハウジングに取り付けられた第２のフィルタとを含む第２のフィルタアセンブリとを含む。第１および第２のフィルタアセンブリは、単一のクロスオーバーユニットを形成するように機械的にドッキング可能であり、異なる場所に取り付けられるように機械的に分離可能である。第１のフィルタは、ツィータフィルタを含んでもよく、第２のフィルタは、ウーファフィルタを含んでもよい。
【０００８】
第１のフィルタアセンブリは、第１の機械コネクタを含んでもよく、第２のフィルタアセンブリは、第２の機械コネクタを含んでもよい。第１および第２の機械コネクタは、第１および第２のフィルタアセンブリを機械的にドッキングするために係合可能であり、第１および第２のフィルタアセンブリを機械的に分離するために離脱可能である。第１および第２の機械コネクタは、スナップ嵌合コネクタを含んでもよく、第１および第２のハウジングのそれぞれの一体化構成部品であってもよい。
【０００９】
本発明の第２の態様によれば、増幅器と、２つ以上のトランスデューサとを含むオーディオシステムにおいて接続するためのクロスオーバーアセンブリが提供される。クロスオーバーアセンブリは、ツィータフィルタアセンブリと、ウーファフィルタアセンブリとを含む。ツィータフィルタアセンブリは、ツィータフィルタハウジングと、ツィータフィルタハウジングに取り付けられたツィータフィルタと、入力ポートと、出力ポートと、第１の機械コネクタとを含む。ウーファフィルタアセンブリは、ウーファフィルタハウジングと、ウーファフィルタハウジングに取り付けられたウーファフィルタと、入力ポートと、出力ポートと、第２の機械コネクタとを含む。ツィータおよびウーファフィルタアセンブリは、第１および第２の機械コネクタを係合することによってドッキング可能であり、第１および第２の機械コネクタを離脱することによって分離可能である。
【００１０】
本発明の第３の態様によれば、増幅器と、トランスデューサとを含むオーディオシステムにおいて接続するためのフィルタアセンブリが提供される。フィルタアセンブリは、機械コネクタを含むフィルタハウジングと、フィルタハウジングに取り付けられた単一のクロスオーバーフィルタと、クロスオーバーフィルタを増幅器に接続するための入力ポートと、クロスオーバーフィルタをトランスデューサに接続するための出力ポートとを含む。フィルタアセンブリは、機械コネクタを用いて別のフィルタアセンブリに機械的にドッキング可能である。
【００１１】
本発明をより深く理解するために、参照によって本願明細書に組み込まれたものとする添付の図面を参照されたい。
【００１２】
詳細な説明
図２に、本発明の一実施形態によるスピーカー１００の略図的ブロック図が示されている。スピーカー１００は、ツィータ１０２と、ウーファ１０４と、クロスオーバーアセンブリ１１０とを含む。ツィータ１０２は、ケーブル１０６によってクロスオーバーアセンブリ１１０に接続され、ウーファ１０４は、ケーブル１０８によってクロスオーバーアセンブリ１１０に接続される。
【００１３】
クロスオーバーアセンブリ１１０は、ツィータフィルタアセンブリ１１２と、ウーファフィルタアセンブリ１１４とを含む。ツィータフィルタアセンブリ１１２は、ツィータフィルタハウジング１２１と、ツィータフィルタハウジング１２１に取り付けられたツィータフィルタ１２２とを含む。ツィータフィルタアセンブリ１１２は、入力ポート１３０と、出力ポート１３２と、オプションのフィードスルーポート１３４とをさらに含む。ウーファフィルタアセンブリ１１４は、ウーファフィルタハウジング１２３と、ウーファフィルタハウジング１２３に取り付けられたウーファフィルタ１２４とを含む。ウーファフィルタアセンブリ１１４は、入力ポート１４０と、出力ポート１４２と、オプションのフィードスルーポート１４４とをさらに含む。
【００１４】
入力、出力、およびフィードスルーポートは、同軸またはツインワイヤ式の電気コネクタであってもよい。しかしながら、任意の適切な電気コネクタが利用されてもよい。図２の実施形態において、入力およびフィードスルーポートは、各フィルタハウジングの一端に位置し、出力ポートは、各フィルタハウジングの他端に位置する。しかしながら、本発明は、この点に限定されるものではなく、入力、出力、およびフィードスルーポートは、各ハウジングの任意の適切な表面上に位置するものであってもよい。
【００１５】
ツィータフィルタアセンブリ１１２は、機械コネクタ１５０をさらに含み、ウーファフィルタアセンブリ１１４は、機械コネクタ１５２を含む。機械コネクタ１５０および１５２は、ツィータフィルタアセンブリ１１２とウーファフィルタアセンブリ１１４とを機械的にドッキングするために係合可能である。例えば、機械的コネクタ１５０は、メスコネクタであってもよく、機械コネクタ１５２は、オスコネクタであってもよく、またその逆であってもよい。図２の実施形態において、ツィータフィルタアセンブリ１１２は、ツィータフィルタハウジング１２１の一方側にメス機械コネクタ１５０を含み、ツィータフィルタハウジング１２１の反対側にオス機械コネクタ１５４を含む。同様に、ウーファフィルタアセンブリ１１４は、ウーファフィルタハウジング１２３の一方側にオス機械コネクタ１５２を含み、ウーファフィルタハウジング１２３の反対側にメス機械コネクタ１５６を含む。このように配置することで、以下に記載するような２つ以上のフィルタアセンブリをドッキングする際、高度な柔軟性が得られる。機械コネクタ１５０、１５２、１５４、および１５６は、対応するフィルタハウジングの一体部品であってもよく、または、対応するハウジングに取り付けられた個々の機械コネクタであってもよい。
【００１６】
機械的コネクタ１５０、１５２、１５４、および１５６により、ツィータフィルタアセンブリ１１２およびウーファフィルタアセンブリ１１４をドッキングし、または機械的に接続して、一体型のドッキングされたクロスオーバー構成を形成することができる。いくつかの応用において、一体型のドッキング構成は、取り付けの点で利点となることがある。また、機械コネクタにより、ツィータフィルタアセンブリ１１２およびウーファフィルタアセンブリ１１４を分離して、分離されたクロスオーバー構成を形成することもできる。分離された構成は、ツィータ１０２およびウーファ１０４を別々の場所に取り付ける応用や、単一のより大型のクロスオーバーアセンブリの取り付けが困難であったり不可能であったりする応用において、利点となることがある。したがって、クロスオーバーアセンブリ１１０には、ツィータフィルタアセンブリ１１２およびウーファフィルタアセンブリ１１４が、ドッキングされたクロスオーバー構成を形成するためにドッキング可能であり、分離されたクロスオーバー構成を形成するために分離可能であることによって、高度の多用性および柔軟性を提供するという特徴がある。
【００１７】
ツィータフィルタハウジング１２１およびウーファフィルタハウジング１２３の両側に機械コネクタを設けることによって、さらなる多用性が得られる。したがって、ウーファフィルタアセンブリ１１４は、ツィータフィルタアセンブリ１１２のいずれかの側部に取り付けられてもよい。さらに、追加のフィルタアセンブリが、ドッキング構成で取り付けられてもよい。例えば、３つ以上のフィルタアセンブリを有するクロスオーバーアセンブリを提供するために、中域フィルタアセンブリが利用されてもよい。３つ以上のフィルタアセンブリは、ドッキングされた構成、部分的にドッキングされた構成（フィルタアセンブリの少なくとも２つがドッキングされる）、または分離された構成で利用されてもよい。
【００１８】
クロスオーバーアセンブリ１１０は、ケーブル１７２によって増幅器１７０に接続されてもよい。ブランチ１７２ａおよび１７２ｂを有する単一のケーブル１７２によってツィータフィルタアセンブリ１１２およびウーファフィルタアセンブリ１１４に接続されるように増幅器１７０が示されているが、２つの別々のケーブルを含む、任意の適切な電気接続技術を用いて、ツィータフィルタアセンブリ１１２およびウーファフィルタアセンブリ１１４に増幅器１７０が接続されてもよいことを理解されたい。本願明細書において使用する「ケーブル」という用語は、同軸ケーブル、ツインワイヤケーブル、または別々の電気コネクタを含むが、これらに限定されるものではない任意の適切な電気導路について言及している。ケーブル１７２のブランチ１７２ａおよび１７２ｂは、入力ポート１３０および１４０のそれぞれに接続されてもよい。
【００１９】
スピーカー１００は、スピーカーシステムの１つのブランチに対応する。典型的に、スピーカーシステムは、２つ以上のブランチを含む。したがって、ほとんどの応用において、クロスオーバーアセンブリと、ツィータと、ウーファとを含む追加のスピーカー（図示せず）が使用される。車両の応用を参照しながら、本発明の特徴および実施形態について記載しているが、本発明は、車両の応用に限定されるものではなく、本発明の原理は、スピーカーが取り付けられる任意の応用で利用されてもよい。
【００２０】
ツィータフィルタハウジング１２１は、ツィータフィルタを取り付けて動作させるための任意の適切なハウジングであってもよい。ツィータフィルタ１２２は、任意の適切な技術を用いて、ツィータフィルタハウジング１２１に取り付けられてもよい。取り付け技術により、ツィータフィルタ１２２またはツィータフィルタハウジング１２１にダメージを与えることなく、ツィータフィルタ１２２を取り外すことができる。例えば、ツィータフィルタ１２２は、ツィータフィルタハウジング１２１のスタンドオフ上に載置されるプリント回路基板として構成されてもよい。
【００２１】
ツィータフィルタハウジング１２１は、任意の適切な材料、好ましくは、車両などの特定の応用において生じる可能性がある衝撃と振動に十分な耐性があるが、平坦でない表面への取り付けが可能なほど十分に可撓性のある材料から作られてもよい。ツィータフィルタハウジング１２１には、取り付けやすいようにするためのフランジ、ねじ穴、および／または他の要素が設けられてもよい。いくつかの実施形態において、ツィータフィルタ１２２は、放熱効果を与えるように、ツィータフィルタハウジング１２１に熱的に結合されてもよい。ツィータフィルタハウジング１２１を作製するための適切な材料の例の１つは、アルミニウムである。
【００２２】
ツィータフィルタ１２２は、増幅器１７０からケーブル１７２および入力ポート１３０を介して増幅器出力信号を受信し、出力ポート１３２およびケーブル１０６を介してツィータ１０２にフィルタリングされた出力信号を出力する。ツィータフィルタ１２２は、現在知られている、または最近開発されたツィータフィルタの任意のものであってもよい。当業者に公知のように、ツィータフィルタ１２２は、音声周波数帯域の高周波数部分を通過させるように構成される。
【００２３】
上述したように、ツィータフィルタアセンブリ１１２は、フィードスルーポート１３４を含んでもよい。図２に示すように、入力ポート１３０およびフィードスルーポート１３４は、ツィータフィルタハウジング１２１で電気的に接続されてもよい。したがって、フィードスルーポート１３４は、フィルタリングされていない増幅器出力信号を出力する。例えば、フィードスルーポート１３４は、ツィータフィルタアセンブリ１１２とウーファフィルタアセンブリ１１４との間にデイジーチェーン接続を与えるように使用されてもよい。この例において、図２の破線に示すケーブル１７４は、ツィータフィルタアセンブリ１１２のフィードスルーポート１３４と、ウーファフィルタアセンブリ１１４の入力ポート１４０との間に接続される。フィルタアセンブリ入力がデイジーチェーン方式のものである場合、ケーブル１７２のブランチ１７２ａまたはブランチ１７２ｂがなくてもよい。この代わりとして、ケーブル１７４は、ウーファフィルタアセンブリ１１４のフィードスルーポート１４４に接続されてもよい。別の例において、フィードスルーポート１３４を使用して、２つ以上のツィータフィルタアセンブリをデイジーチェーン方式のものとすることもできる。デイジーチェーン接続は、特に、２つ以上のフィルタアセンブリを比較的近くに配置する応用において、配線を単純化するために利点となることがある。
【００２４】
ウーファフィルタアセンブリ１１４は、ウーファフィルタハウジング１２３にウーファフィルタ１２４が取り付けられていること以外、ツィータフィルタアセンブリ１１２に類似した構成を有するものであってもよい。当業者に公知のように、ウーファフィルタ１２４は、音声周波数帯域の低周波数部分を通過させるように構成される。ウーファフィルタ１２４は、増幅器１７０からケーブル１７２および入力ポート１４０を介して、増幅器出力信号を受信し、出力ポート１４２およびケーブル１０８を介してウーファ１０４にフィルタリングされた出力信号を出力する。ツィータフィルタハウジング１２１およびウーファフィルタハウジング１２３のサイズおよび形状は、同じものであっても異なるものであってもよい。
【００２５】
図２において、ツィータフィルタアセンブリ１１２およびウーファフィルタアセンブリ１１４は、並列に配置したものが示されている。しかしながら、本発明の１つの態様は、分離されたクロスオーバー構成を用いて、ツィータフィルタアセンブリ１１２およびウーファフィルタアセンブリ１１４を任意の適切な場所に取り付けることができるということである。他の応用において、ツィータフィルタアセンブリ１１２およびウーファフィルタアセンブリ１１４は、ドッキングされたクロスオーバー構成において、次々に取り付けられ結合されてもよい。上述したように、ツィータフィルタアセンブリ１１２は、機械コネクタ１５０および１５４を含み、ウーファフィルタアセンブリ１１４は、機械コネクタ１５２および１５６を含むことで、クロスオーバーアセンブリの分離およびドッキング可能な特徴をもたらす。
【００２６】
機械コネクタ１５０、１５２、１５４、および１５６は、ツィータフィルタアセンブリ１１２およびウーファフィルタアセンブリ１１４を結合するための任意の適切な機械コネクタであってもよい。例えば、機械コネクタは、スナップ嵌合式またはプレス嵌合式コネクタであってもよい。いくつかの実施形態において、設置および取り付け中、ツィータフィルタアセンブリ１１２およびウーファフィルタアセンブリ１１４を、単一のユニットとして取り扱うことができるように、機械コネクタにより固定された機械的接続が与えられてもよい。基本的な構成が、ツィータフィルタアセンブリ１１２およびウーファフィルタアセンブリ１１４の各々に単一の機械コネクタを含み、機械コネクタは相互に係合可能である。取り付けの多用性を高めるために、ツィータフィルタアセンブリ１１２およびウーファフィルタアセンブリ１１４の各々に、さらなる機械コネクタが追加されてもよい。いくつかの実施形態において、機械コネクタは、機械接続に追加して、ツィータフィルタアセンブリ１１２およびウーファフィルタアセンブリ１１４を電気的に接続するための電気的接触を含んでもよい。
【００２７】
ツィータフィルタアセンブリ１１２は、ツィータフィルタ１２２を冷却するための通気孔１８０および１８１を含んでもよい。通気孔１８０および１８１は、空気の直交流が可能なように、ツィータフィルタハウジング１２１の両側に配置されてもよい。ウーファフィルタハウジング１２３には、ウーファフィルタ１２４を冷却するための通気孔１８２および１８３が設けられてもよい。通気孔１８２および１８３は、空気の直交流が可能なように、ウーファフィルタハウジング１２３の両側に配置されてもよい。通気孔の場所については、機械的制約およびフィルタハウジングの予想された取り付けを考慮しながら、任意の適切な場所が利用されてもよい。
【００２８】
図３〜図５に、本発明の一実施形態によるクロスオーバーアセンブリ１１０の実施例が示されている。図２〜図５の同様の要素は、同一の参照番号を有する。図３は、ドッキングされた構成のクロスオーバーアセンブリ１１０の斜視図である。図４は、ツィータフィルタアセンブリ１１２の右側斜視図であり、図５は、ツィータフィルタアセンブリ１１２の左側斜視図である。
【００２９】
図３に示すように、ツィータフィルタアセンブリ１１２およびウーファフィルタアセンブリ１１４は、電気コネクタ３１０によって電気的に接続されてもよい。図３の実施例において、電気コネクタ３１０は、ツィータフィルタアセンブリ１１２のフィードスルーポート１３４を、ウーファフィルタアセンブリ１１４の入力ポート１４０に接続する剛性コネクタであるため、ツィータフィルタ１２２およびウーファフィルタ１２４は並列接続される。図３の実施例において、電気コネクタ３１０は、ツィータフィルタアセンブリ１１２とウーファフィルタアセンブリ１１４との間に２線接続を与える。図３〜図５の実施例において、ねじ３４０は、ワイヤを入力ポート１３０に固定するために利用されてもよく、ねじ３４２は、ワイヤを出力ポート１３２に固定するために利用されてもよく、ねじ３４４は、ワイヤをフィードスルーポート１３４に固定するために利用されてもよい。
【００３０】
図４および図５に示すように、ツィータフィルタハウジング１２１は、ウーファフィルタハウジング１２３などの、別のハウジングに機械的に接続するために、メススナップ嵌合コネクタ１５０を含んでもよい。ツィータフィルタハウジング１２１は、別のフィルタハウジング（図４および図５に図示せず）に接続するために、オススナップ嵌合コネクタ１５４をさらに含んでもよい。
【００３１】
図３〜図５の実施例において、ツィータフィルタハウジング１２１上のオス機械コネクタ１５４は、傾斜縁部を有する台形突出部を含み、メス機械コネクタ１５０は、コネクタ１５４上の傾斜縁部と相補形である、傾斜部分を有する対応する台形くぼみ部を含む。コネクタ１５０は、タブまたは突出部１９０をさらに含み、コネクタ１５４は、相補形のスロット１９２をさらに含む。ウーファフィルタハウジング１２３上のコネクタ１５６および１５２は、ツィータフィルタハウジング１２１上のコネクタ１５０および１５４のそれぞれと同一の構成であってもよい。フィルタハウジングの一方のオス機械コネクタが、フィルタハウジングの他方のメス機械コネクタと係合すると、台形突出部は、台形くぼみ部内に滑動し、タブ１９０はスロット１９２に嵌合する。台形突出部および台形くぼみ部の傾斜縁部により、フィルタハウジングが離れることができなくなる。上述した機械コネクタの構成は、例示的目的で与えたものにすぎず、本発明を限定するものではないことを理解されたい。他の機械コネクタ構成が利用されてもよい。
【００３２】
ツィータフィルタハウジング１２１には、ツィータフィルタアセンブリ１１２を、車両の表面などの適切な表面に機械的に取り付けるための取り付けブラケット３２０および３２２が設けられてもよい。ウーファフィルタハウジング１２３には、ウーファフィルタアセンブリ１１４を、車両の表面などの適切な表面に取り付けるための取り付けブラケット３３０および３３２が設けられてもよい。取り付けブラケット３２０、３２２、３３０、および３３２は、ドッキングされた構成と分離された構成の両方でそれぞれのフィルタアセンブリを取り付けるために利用されてもよい。本発明の範囲内において、他の取り付けブラケット構成が利用されてもよいことを理解されたい。
【００３３】
図３〜図５にさらに示すように、ツィータフィルタハウジング１２１にある複数のスロットとして、通気孔１８０、１８１が与えられてもよい。スロットにより、ツィータフィルタ１２２にわたった空気の直交流が可能になる。ウーファフィルタハウジング１２３は、同様の構成を有するものであってもよい。
【００３４】
１つの例において、ツィータフィルタハウジング１２１またはウーファフィルタハウジング１２３の適切な寸法は、高さ１．５インチ、幅２．０インチ、長さ５．０インチのものであってもよい。対照的に、従来技術のクロスオーバーハウジングの幅は、３インチのものもある。したがって、本発明の実施形態による単一のツィータフィルタアセンブリまたはウーファフィルタアセンブリは、従来技術のクロスオーバーハウジングより取り付け表面上の設置面積が小さいことがある。したがって、空間が制限された応用において、本発明によるツィータフィルタアセンブリまたはウーファフィルタアセンブリを取り付けるためのより多くのオプションが利用可能である。このように、本発明によるツィータフィルタアセンブリおよびウーファフィルタアセンブリは、車両内での設置の利便性がより高いものとなることがある。
【００３５】
さらに、取り付けオプションにより、ツィータフィルタアセンブリをツィータにより近付けて取り付けることができ、および／または、ウーファフィルタアセンブリをウーファにより近付けて取り付けることができる。それに応じて、ツィータフィルタアセンブリをツィータに接続し、および／または、ウーファフィルタアセンブリをウーファに接続するために使用するケーブルの長さを短くしてもよい。このように長さを短くすることで、ツィータドライバ信号および／またはウーファドライバ信号の電磁干渉を低減することもでき、接続するために使用されるケーブルのインピーダンスを低下させることもできる。干渉を低減し、インピーダンスを低下させることで、ツィータおよび／またはウーファの音の特徴を高めることもできる。したがって、本発明の実施形態によるクロスオーバーアセンブリは、特定の性能の目的を満たすことができるオプションを設計者に提供する。
【００３６】
本発明の少なくとも一実施形態のいくつかの態様について記載してきたが、当業者であれば、さまざまな変更、修正、および改良が容易になされることを認識されたい。このような変更、修正、および改良は、本願明細書の一部であると意図されており、本発明の趣旨および範囲内のものであると意図されている。したがって、上記記載および図面は、例示的なものにすぎない。
【図面の簡単な説明】
【００３７】
【図１】従来技術のスピーカーの略図的ブロック図である。
【図２】本発明の一実施形態によるスピーカーの略図的ブロック図である。
【図３】ドッキングされた構成で示した、本発明の一実施形態によるクロスオーバーアセンブリの斜視図である。
【図４】本発明の一実施形態によるフィルタアセンブリの右側斜視図である。
【図５】図４のフィルタアセンブリの左側斜視図である。
【図１】
0004441601.tif 000002
【図２】
0004441601.tif 000003
【図３】
0004441601.tif 000004
【図４】
0004441601.tif 000005
【図５】
0004441601.tif 000006